(57)【要約】【課題】携帯型電子機器において、ユーザーの運動データの経時変化を見易く表示すること。【解決手段】携帯型電子機器は、運動するユーザーの手首に装着して使用され、ディスプレイには、表示対象の運度データの現在の計測値とともに、直近の計測値の履歴が表示される。計測値履歴３６は、所定の単位期間における計測値の統計値を棒の長さによって示す棒グラフとして表示される。また、計測値履歴３６を表す棒グラフは、所定の目標範囲に相当する部分が識別表示される。目標範囲の表示範囲は、棒グラフの縦軸の中央部分に固定となっており、この目標範囲の数値範囲に応じて、縦軸の目盛り（スケール）が決められる。【選択図】図２
2015047208.tif 000002
【特許請求の範囲】
【請求項１】
ユーザーの運動データを計測する計測部と、
所定の単位期間毎に、前記計測部による計測値に対する統計演算処理を行って統計値を算出する統計演算部と、
棒の長さで前記統計値を示し、所定の数値範囲に相当する部分を識別表示させた棒グラフを時系列に表示する制御を行う表示制御部と、
を備えた携帯型電子機器。
【請求項２】
前記計測部は、前記運動データとして、走行ペース、ピッチ、ストライド、及び、心拍数のうちの少なくとも１つを計測する、
請求項１に記載の携帯型電子機器。
【請求項３】
前記単位期間を変更する単位期間変更部、
を備えた請求項１又は２に記載の携帯型電子機器。
【請求項４】
前記統計演算部は、前記統計演算処理として、前記単位期間の間に計測された計測値の平均値、最大値、最小値、及び、中央値の何れかを算出する、
請求項１〜３の何れかに記載の携帯型電子機器。
【請求項５】
前記ユーザーの操作に従って、前記運動データの目標範囲として前記数値範囲を設定する数値範囲設定部、
を更に備えた請求項１〜４の何れか一項に記載の携帯型電子機器。
【請求項６】
前記表示制御部は、前記棒グラフの表示領域のうち、上下中央部に前記数値範囲に相当する部分を割り当て、当該表示領域及び前記数値範囲の相当部分の表示サイズを固定とし、前記数値範囲に応じて前記棒グラフの長さを調節して表示する、
請求項５に記載の携帯型電子機器。
【請求項７】
当該携帯型電子機器が有する表示部の全表示領域に対する、前記棒グラフを表示する表示領域の面積割合が、１５〜２５％、である、
請求項１〜６の何れかに記載の携帯型電子機器。
【請求項８】
携帯型電子機器が実行する表示制御方法であって、
ユーザーの運動データを計測することと、
所定の単位期間毎に、前記計測値に対する統計演算処理を行って統計値を算出することと、
棒の長さで前記統計値を示し、所定の数値範囲に相当する部分を識別表示させた棒グラフを時系列に表示する制御を行うことと、
を含む表示制御方法。
【発明の詳細な説明】
【技術分野】
【０００１】
本発明は、携帯型電子機器等に関する。
【背景技術】
【０００２】
従来、計測装置を内蔵し、ユーザーの腕に装着して使用するタイプの携帯型電子機器の１つとして、ダイバーズウォッチと呼ばれる潜水用の電子機器が知られている。このダイバーズウォッチでは、圧力センサーを利用した水深計測機能を有し、水深の変化をグラフ表示することができる（例えば、特許文献１参照）。
【先行技術文献】
【特許文献】
【０００３】
【特許文献１】特開２００２−１１６０２２号公報
【発明の概要】
【発明が解決しようとする課題】
【０００４】
水深などのユーザーの環境変化を計測するのではなく、ユーザー自身のデータを計測する携帯型電子機器の例としては、ランニング（マラソン）やウォーキングで用いられる、いわゆるランナーズウォッチが知られている。ランナーズウォッチは、ＧＰＳ（Global Positioning System）等の測位用信号を受信して位置を算出する位置計測装置や、加速度センサー等の計測装置を内蔵し、走行速度や走行ペースといった各種の運動データを計測・表示する。運動データは、ユーザー自身の運動に関する即時のデータであるため、運動中の体調管理や運動のペース配分等の把握に役立つ。
【０００５】
しかし、従来においては、各種の運動データは数値で表示する形態が一般的であった。例えば、現在の走行ペースを随時更新表示する形態である。最新の走行ペースが把握できる点で有益ではあるが、どの程度の期間に亘って走行ペースが遅い、或いは、早い状態であったかは把握できなかった。ランニングに代表されるような、有る程度の時間の間、継続的に行う運動においては、瞬時的な数値表示のみでは不充分であり、数値の経時変化を把握したいという要望があった。しかしながら、現状の携帯型電子機器には、運動データの経時変化を見易く表示するものはなかった。
【０００６】
本発明は上記事情に鑑みてなされたものであり、その目的とするところは、携帯型電子機器において、ユーザーの運動データの経時変化を見易く表示することである。
【課題を解決するための手段】
【０００７】
上記課題を解決するための第１の発明は、ユーザーの運動データを計測する計測部と、所定の単位期間毎に、前記計測部による計測値に対する統計演算処理を行って統計値を算出する統計演算部と、棒の長さで前記統計値を示し、所定の数値範囲に相当する部分を識別表示させた棒グラフを時系列に表示する制御を行う表示制御部と、を備えた携帯型電子機器である。
【０００８】
また、他の発明として、携帯型電子機器が実行する表示制御方法であって、ユーザーの運動データを計測することと、所定の単位期間毎に、前記計測値に対する統計演算処理を行って統計値を算出することと、棒の長さで前記統計値を示し、所定の数値範囲に相当する部分を識別表示させた棒グラフを時系列に表示する制御を行うことと、を含む表示制御方法を構成しても良い。
【０００９】
この第１の発明等によれば、ユーザーの運動データの計測値の統計値を示す棒グラフが時系列に表示されることで、ユーザーは、運動データの経時変化を容易に把握することができる。また、棒グラフにおいて、所定の数値範囲に相当する部分が識別表示されることで、ユーザーは、目標とする運動が実現されているかの経過状況を容易に比較・参照して、把握することができる。
【００１０】
また、第２の発明は、第１の発明の携帯型電子機器であって、前記計測部は、前記運動データとして、走行ペース、ピッチ、ストライド、及び、心拍数のうちの少なくとも１つを計測する、携帯型電子機器である。
【００１１】
この第２の発明によれば、運動データとして、走行ペース、ピッチ、ストライド、及び、心拍数のうちの少なくとも１つが計測され、その統計値を示す棒グラフが表示される。
【００１２】
また、第３の発明は、第１又は第２の発明の携帯型電子機器であって、
前記単位期間を変更する単位期間変更部、を備えた携帯型電子機器である。
【００１３】
この第３の発明によれば、単位期間が変更される。これにより、所望する単位期間に自由に変更することで、ユーザーは、運動データの経時変化をより把握し易くなる。ここで、単位期間としては、例えば、１分や１０秒といった時間の期間や、ラップといった距離の期間（区間）を用いることができる。
【００１４】
また、第４の発明は、第１〜第３の何れかの発明の携帯型電子機器であって、前記統計演算部は、前記統計演算処理として、前記単位期間の間に計測された計測値の平均値、最大値、最小値、及び、中央値の何れかを算出する、携帯型電子機器である。
【００１５】
この第４の発明によれば、統計演算処理として、単位期間の間に計測された計測値の平均値、最大値、最小値、及び、中央値の何れかが算出される。
【００１６】
また、第５の発明は、第１〜第４の何れかの発明の携帯型電子機器であって、前記ユーザーの操作に従って、前記運動データの目標範囲として前記数値範囲を設定する数値範囲設定部、を更に備えた携帯型電子機器である。
【００１７】
この第５の発明によれば、ユーザーの操作に従って、運動データの目標範囲として数値範囲が設定される。これにより、ユーザーが目標とする数値範囲を自由に設定できるので、より利便性が高まる。
【００１８】
また、第６の発明は、第５の発明の携帯型電子機器であって、前記表示制御部は、前記棒グラフの表示領域のうち、上下中央部に前記数値範囲に相当する部分を割り当て、当該表示領域及び前記数値範囲の相当部分の表示サイズを固定とし、前記数値範囲に応じて前記棒グラフの長さを調節して表示する、携帯型電子機器である。
【００１９】
この第６の発明によれば、棒グラフの表示領域は固定であるとともに、目標範囲（数値範囲）は、その上下中央部分に表示サイズを固定として表示され、数値範囲に応じて棒グラフの長さが調節して表示される。これにより、目標範囲（数値範囲）に対する運動データの計測値（統計値）の変動が把握し易くなる。
【００２０】
また、第７の発明は、第１〜第６の何れかの発明の携帯型電子機器であって、当該携帯型電子機器が有する表示部の全表示領域に対する、前記棒グラフを表示する表示領域の面積割合が、１５〜２５％、である、携帯型電子機器である。
【００２１】
この第７の発明によれば、棒グラフを表示する表示領域の面積割合は、携帯型電子機器が有する表示部の全表示領域に対して、１０〜３０％、と比較的小さい。しかし、棒グラフとしているため、比較的小さい表示領域でも、運動データの経時変化を把握し易く表示することができる。なお、手首に装着するランナーズウォッチにおいて、棒グラフを表示する表示領域の面積割合を携帯型電子機器が有する表示部の全表示領域に対して１０％未満に設定した場合には運動しながら運動データの計時変化が視認し難くなる。一方、棒グラフを表示する表示領域の面積割合を３０％よりも大きく設定した場合には他の表示（例えば、現在の計測値）が視認し難くなる。
【図面の簡単な説明】
【００２２】
【図１】携帯型電子機器の構成図。
【図２】携帯型電子機器における表示画面例。
【図３】携帯型電子機器の機能構成図。
【図４】計測データのデータ構成例。
【図５】計測値履歴表示設定データのデータ構成例。
【図６】計測値履歴表示制御処理のフローチャート。
【発明を実施するための形態】
【００２３】
［構成］
図１は、本実施形態の携帯型電子機器１の構成例である。この携帯型電子機器１は、腕時計と同様にユーザーＲの手首や腕に装着可能であって、いわゆるランナーズウォッチと呼ばれるウェアラブルコンピュータである。
【００２４】
携帯型電子機器１のメインフレーム１０の上面には、時刻や各種運動データ（トレーニングデータ）を表示するディスプレイ１２が設けられている。また、メインフレーム１０の側面には、ユーザーＲが各種操作入力を行うための操作スイッチ１４と、当該携帯型電子機器１をユーザーＲの手首や腕に装着するためのバンド１６とが設けられている。
【００２５】
メインフレーム１０は気密室を形成し、ディスプレイ１２や操作スイッチ１４などに電気的に接続された制御基板１８と、制御基板１８などに電力を供給する充電式バッテリ２０とが内蔵されている。
【００２６】
制御基板１８には、ＣＰＵ(Central Processing Unit)と、メインメモリーと、計測データ用メモリーと、加速度センサーと、位置測定モジュールと、近距離無線通信モジュールとが搭載されている。メインメモリーは、プログラムや初期設定データ、ＣＰＵの演算結果を格納する記憶媒体であり、ＲＡＭ(Random Access memory)やＲＯＭ(Read Only Memory)、フラッシュメモリーなどによって構成される。計測データ用メモリーは、各種計測データを記憶する記憶媒体であり、フラッシュメモリーや強誘電体メモリー（ＦｅＲＡＭ(Ferroelectric Random Access Memory)）、磁気抵抗メモリー（ＭＲＡＭ(Magnetoresistive Random Access Memory)）などのデータの書き換えが可能な不揮発性メモリーによって構成される、
【００２７】
位置測定モジュールは、位置測定システムから提供される信号を受信して、所定周期（１秒毎）で位置測定情報を生成・出力する。本実施形態では、位置測定システムとしてＧＰＳを利用する。すなわち、位置測定モジュールは、公知のＧＰＳモジュールやＧＰＳ受信機によって構成される。そして、位置測定情報には、測位日時（ＵＴＣ(Coordinated Universal Time)）や、緯度経度で表される位置座標、速度等が含まれる。なお、位置測定に利用するシステムはＧＰＳに限らず、その他の衛星航法システムを利用するとしても良い。
【００２８】
充電式バッテリ２０への充電方式としては、例えば、家庭用電源に接続されたクレードルに携帯型電子機器１をセットし、メインフレーム１０の裏面に設けられた電気接点を介してクレードル経由で充電される構成でも良いし、無線式充電でも良い。
【００２９】
ユーザーＲは、この携帯型電子機器１を手首に装着して運動（例えば、ランニング）を行う。すると、携帯型電子機器１は、内蔵する位置測定モジュールによる位置測定情報や加速度センサーによる計測値をもとに、走行距離や走行速度などの各種運動データ（トレーニングデータ）を計測し、蓄積記憶する。
【００３０】
また、ユーザーＲがＨＲ(Heart Rate)センサー３を装着した場合、携帯型電子機器１は、運動データとして、更に心拍数（ＨＲ）を計測・蓄積記憶することができる。ＨＲセンサー３は、付属のバンドによってユーザーＲの左胸部に巻き付けるように装着され、所定周期（例えば１秒）でユーザーＲの心拍数（ＨＲ：Heart Rate）を計測する心拍計である。また、ＨＲセンサー３は、近距離無線通信モジュールを内蔵しており、計測した心拍数のデータを、随時、携帯型電子機器１へ送信する。
【００３１】
［表示画面］
携帯型電子機器１のディスプレイ１２には、図２に示すように、計測されたユーザーＲの運動データが表示される。本実施形態において、運動データには、単位距離（例えば１ｋｍ）の走行時間である走行ペース、１秒間の歩数であるピッチ、１歩の走行距離（歩幅）であるストライド、及び、心拍数の５種類が含まれる。携帯型電子機器１では、これらの運動データそれぞれの計測を常時行っているが、これら複数種類の運動データのうち、ディスプレイ１２には、何れか１つの運動データの計測値が表示される。表示される運動データの種類は、ユーザーの指示操作（操作スイッチ１４の操作）によって切り替え可能となっている。図２では、運動データとして走行ペースの計測値が表示されている。
【００３２】
図２（ａ）に示すように、表示画面には、表示対象の運動データの種類３２とともに、その現在の計測値３４と、直近の計測値履歴３６とが表示される。
【００３３】
計測値履歴３６は、図２（ｂ）の拡大図に示すように、その長さによって運動データの統計値を示す縦棒グラフとして表示される。この縦棒グラフの横軸は所定の単位期間となっており、統計値は、この単位期間における計測値に対する所定の統計演算処理を行った結果の値である。統計演算処理としては、本実施形態では平均値の算出とするが、最大値、最小値、及び、中央値の何れかを算出するといった他の統計演算処理としても良い。そして、計測値履歴３６として、連続する複数（図２では、「５」）の単位期間それぞれの統計値を、時系列に（図２では右方向）表示している。
【００３４】
単位期間は、１分や１０秒といった時間の範囲や、ラップといった距離の範囲（区間）として定められる。この単位期間は、ユーザーの指示操作（操作スイッチ１４の操作）によって切り替え可能となっている。
【００３５】
また、棒グラフは、所定の目標範囲に相当する部分が識別表示される。図２では、灰色で示した範囲であり、表示画面では黒く反転表示される。これにより、目標範囲が識別表示される。また、この目標範囲の表示範囲、すなわち、縦軸の目盛りに対する設定範囲（割り当て範囲）は、縦軸の中央部分に固定となっている。そして、この目標範囲が示す数値範囲に応じて、縦軸の目盛り（スケール）が決められる。なお、表示しようとする統計値が縦軸の最大値を超える或いは最小値を下回る場合には、統計値が当該最大値／最小値であるとして棒グラフ表示される。
【００３６】
すなわち、図２では、縦軸は１５目盛りであり、中央の５目盛り分が目標範囲として固定的に定められている。また、走行ペースの目標範囲が５分２０秒（上限：走行ペースの上限の意味。すなわち時間が短く、速い意味。）から５分３０秒（下限：走行ペースの下限の意味。すなわち時間が長く、遅い意味。）の１０秒の数値範囲となっており、縦軸の１目盛りは２秒である。従って、縦軸全体の数値範囲は、５分１０秒（表示目盛としての最大：走行ペースが速い）から５分４０秒（表示目盛としての最小：走行ペースが遅い）となる。
【００３７】
目標範囲の上限値及び下限値は、表示画面において、計測値履歴３６の右上３８ａ及び右下３８ｂに、数値にて表示されている。また、単位期間は、表示画面において、縦棒グラフの下部に、テキストにて表示されている。図２（ａ）の例では、単位期間はラップであり、計測値履歴３６として直近５つのラップそれぞれにおける走行ペースの統計値が表示されている。
【００３８】
また、目標範囲とする数値範囲は、ユーザーの指示操作（操作スイッチ１４の操作）によって任意に設定可能となっている。この目標範囲の設定に応じて、縦棒グラフの縦軸の目盛り（スケール）が自動的に調整される。
【００３９】
計測値履歴３６の表示領域は、ディスプレイ１２の全表示領域に対して、１５〜２５％内の所定割合となっており、表示画面全体に占める割合は比較的小さい。しかし、計測値履歴３６は、計測値そのままではなく、単位期間における統計値（平均）を棒グラフで表示しているため、ユーザーは、運動データの計測値の変化を一目で把握することができる。また、棒グラフでは、計測値の目標範囲に相当する部分が識別表示されているので、ユーザーは、目標とする運動が実現されているかの経過状況を容易に比較・参照して把握することができる。
【００４０】
［機能構成］
図３は、携帯型電子機器１の機能構成を示すブロック図である。図３に示すように、携帯型電子機器１は、操作入力部１１２と、表示部１１４と、音出力部１１６と、無線通信部１１８と、ＧＰＳ受信部１１０と、加速度センサー１２０と、処理部２００と、記憶部３００とを備えて構成される。
【００４１】
操作入力部１１２は、ボタンスイッチやタッチパネル、各種センサーなどの入力装置によって実現され、なされた操作に応じた操作信号を処理部２００に出力する。図１では、操作スイッチ１４がこれに該当する。
【００４２】
表示部１１４は、ＬＣＤなどの表示装置によって実現され、処理部２００からの表示信号に基づく各種表示を行う。図１では、ディスプレイ１２がこれに該当する。
【００４３】
音出力部１１６は、スピーカーなどの音出力装置によって実現され、処理部２００からの音信号に基づく各種音出力を行う。
【００４４】
無線通信部１１８は、無線ＬＡＮ(Local Area Network)やＢｌｕｅｔｏｏｔｈ（登録商標）などの通信装置によって実現され、外部装置との通信を行う。図１では、制御基板１８に搭載された無線通信モジュールがこれに該当する。
【００４５】
ＧＰＳ受信部１１０は、ＧＰＳ衛星から発信されているＧＰＳ信号を受信し、所定時間（例えば１秒）毎に、日時情報及び位置情報を含む位置測定情報を生成する。図１では、位置測定モジュールがこれに相当する。
【００４６】
処理部２００は、ＣＰＵやＧＰＵ等のマイクロプロセッサや、ＡＳＩＣ（特定用途向け集積回路：Application Specific Integrated Circuit）、ＩＣメモリーなどの電子部品によって実現され、記憶部３００に記憶されたプログラムやデータ、操作入力部１１２からの操作信号などに基づいて各種の演算処理を実行して、携帯型電子機器１の動作を制御する。図１では、制御基板に搭載されたＣＰＵがこれに該当する。また、処理部２００は、運動データ計測部２１０と、現在計測値表示制御部２３０と、計測値履歴表示制御部２４０とを有する。
【００４７】
運動データ計測部２１０は、走行距離算出部２１２と、走行ペース算出部２１４と、ピッチ算出部２１６と、ストライド算出部２１８と、ＨＲ取得部２２０とを有し、ユーザーＲの運動データを計測する。運動データ計測部２１０による運動データの計測値は、計測データ３２０として蓄積記憶される。
【００４８】
図４は、計測データ３２０のデータ構成の一例である。図４によれば、計測データ３２０は、時刻３２１毎に、位置３２２と、速度３２３と、走行距離３２４と、走行ペース３２５と、ピッチ３２６と、ストライド３２７と、心拍数３２８とを対応付けて格納している。時刻３２１、位置３２２、及び、速度３２３は、ＧＰＳ受信部１１０による位置測定情報から取得する。
【００４９】
走行距離算出部２１２は、ＧＰＳ受信部１１０によって取得された位置測定情報をもとに、ユーザーＲの走行距離３２４を算出する。具体的には、位置測定情報が取得される毎に、今回の取得時の位置と前回の取得時の位置との差を算出し、その差を前回の走行距離に加算して更新することで、走行距離３２４を算出する。
【００５０】
走行ペース算出部２１４は、運動データの１つである走行ペース３２５を算出する。具体的には、計測データ３２０を参照して、時刻３２１及び走行距離３２４に基づいて、直近の所定距離（例えば、１ｋｍ）の走行に要した時間を、走行ペース３２５として算出する。
【００５１】
ピッチ算出部２１６は、加速度センサー１２０の検出値をもとに“１歩”の着地を検出し、時刻３２１を参照してピッチ３２６を算出する。
【００５２】
ストライド算出部２１８は、加速度センサー１２０の検出値をもとに“１歩”の着地を検出し、走行距離３２４を参照してストライド３２７を算出する。
【００５３】
ＨＲ取得部２２０は、運動データの１つである心拍数３２８を取得する。具体的には、ＨＲセンサー３から送信されてくる心拍数３２８を取得する。なお、携帯型電子機器１の筐体裏面から皮膚面に向けて赤外光を照射・受光して脈拍を検出する脈拍センサーを内蔵し、この脈拍センサーによって脈拍数を取得する構成としてもよい。
【００５４】
現在計測値表示制御部２３０は、表示対象として設定されている種類の運動データの現在の計測値を、例えば、図２における現在計測値３４のように表示する。なお、表示対象は、ユーザーＲの操作スイッチ１４の操作によって変更することができる。
【００５５】
計測値履歴表示制御部２４０は、単位期間設定部２４２と、目標範囲設定部２４４と、スケール設定部２４６と、統計演算部２４８とを有し、表示対象として定められている種類の運動データの計測値の履歴を、例えば、図２における計測値履歴３６のように表示する。ここで、計測値の履歴の表示に必要なデータは、計測値履歴表示設定データ３３０として記憶される。
【００５６】
図５は、計測値履歴表示設定データ３３０のデータ構成の一例である。図５によれば、計測値履歴表示設定データ３３０は、計測値の表示対象とする運動データの種類３３１と、単位期間３３２と、目標範囲３３３と、スケール３３４と、統計値データ３３５とを格納している。運動データの種類３３１は、例えば、計測データ３２０に計測値が格納されている走行ペース３２５、ピッチ３２６、ストライド３２７、心拍数３２８の中から選択設定される。また、統計値データ３３５は、連続する所定数（図５では、「５」）の単位期間それぞれにおける統計値を時系列に格納している。
【００５７】
単位期間設定部２４２は、統計演算の単位となる単位期間３３２を設定する。具体的には、予め用意されている複数種類の単位期間（例えば、１分、１０秒、ラップの３種類）のうちから、ユーザーの選択操作に従って設定する。なお、ユーザーによる選択操作がなされない場合には、予め定められた値（例えば、ラップ）を設定する。
【００５８】
目標範囲設定部２４４は、運動データの計測値の目標範囲３３３を設定する。具体的には、ユーザーの指示操作に従って、目標範囲の上限値及び下限値を設定する。なお、ユーザーによる指示操作がなされない場合には、予め定められた所定の値を設定する。
【００５９】
スケール設定部２４６は、縦棒グラフの１目盛りに割り当てる数値（スケール）を設定する。具体的には、目標範囲設定部２４４によって目標範囲３３３として設定された数値範囲を、目標範囲の表示範囲として定められている目盛り数で除算することで、１目盛り当たりの数値を設定する。そして、決定した１目盛り当たりの数値をもとに、縦棒グラフの縦軸の数値範囲の最大値／最小値を設定する。
【００６０】
統計演算部２４８は、単位期間３３２における計測値に対する所定の統計演算を行って、単位期間毎の統計値を算出する。統計演算は、例えば、平均値や最大値、最小値、中央値等の値を算出する演算であり、何れの値を算出することとしてもよい。
【００６１】
記憶部３００は、ＲＯＭやＲＡＭ、ハードディスクなどの記憶装置によって実現され、処理部２００が携帯型電子機器１を統合的に制御するためのプログラムやデータなどを記憶しているとともに、処理部２００の作業領域として用いられ、処理部２００が実行した演算結果や、操作入力部１１２からの操作データなどが一時的に格納される。図１では、制御基板１８に実装されたメインメモリーや計測データ用メモリーがこれに該当する。本実施形態では、処理部２００には、計測値履歴表示制御プログラム３１２と、計測データ３２０と、計測値履歴表示設定データ３３０とが記憶される。
【００６２】
［処理の流れ］
図６は、計測値履歴表示制御処理の流れを説明するフローチャートである。この処理は、計測値履歴表示制御部２４０が、計測値履歴表示制御プログラム３１２に従って実行する処理である。
【００６３】
先ず、運動の開始前に、ユーザーＲによる選択操作に従って、表示対象とする運動データの種類３３１を設定する（ステップＳ１）。次いで、計測値の履歴表示のための初期設定を行う。すなわち、単位期間設定部２４２が、ユーザーＲの選択操作に従って、単位期間３３２を設定する（ステップＳ３）。また、目標範囲設定部２４４が、ユーザーＲの選択操作に従って、目標範囲３３３を設定する（ステップＳ５）。続いて、スケール設定部２４６が、設定された目標範囲３３３に従って、スケール３３４（１目盛り当たりの数値）を設定する（ステップＳ７）。
【００６４】
初期設定が終了すると、ユーザーＲの運動が開始される。ユーザーＲの運動中は、運動データ計測部２１０による運動データの計測が行われる（ステップＳ９）。また、単位期間３３２が経過する毎に（ステップＳ１１：ＹＥＳ）、統計演算部２４８が、経過した単位期間３３２における計測値に対する統計演算を行って統計値を算出する（ステップＳ１３）。そして、計測値履歴表示制御部２４０が、算出された統計値をもとに、表示部１１４における計測値履歴３６の表示を更新する（ステップＳ１５）。
【００６５】
また、ユーザーによる単位期間３３２の切り替え指示がなされたならば（ステップＳ１７：ＹＥＳ）、単位期間設定部２４２が、ユーザーの操作指示に従って、単位期間３３２を再設定する（ステップＳ１９）。次いで、再設定した単位期間３３２毎に、計測値に対する統計演算を行って、統計値を再算出する（ステップＳ２１）。そして、再算出した統計値をもとに、計測値履歴表示３６を更新する（ステップＳ２３）。
【００６６】
また、ユーザーによる目標範囲３３３の切り替え指示がなされたならば（ステップＳ２５：ＹＥＳ）、目標範囲設定部２４４が、ユーザーの操作指示に従って目標範囲３３３を再設定する（ステップＳ２７）。次いで、スケール設定部２４６が、再設定された目標範囲３３３に応じて、スケール３３４（１目盛り当たりの数値範囲）を再設定する（ステップＳ２９）。そして、再設定した目標範囲３３３に応じて、計測値履歴３６を更新する（ステップＳ３１）。
【００６７】
続いて、ユーザーによる終了指示がなされる等によって計測履歴の表示を終了するか否かを判断し、終了しないならば（ステップＳ３３：ＮＯ）、ステップＳ９に戻り、同様の処理を繰り返す。終了するならば（ステップＳ３３：ＹＥＳ）、本処理を終了する。
【００６８】
［作用効果］
このように、本実施形態の携帯型電子機器１は、運動するユーザーＲの手首に装着して使用され、ディスプレイ１２には、表示対象の運度データの現在の計測値３４とともに、直近の計測値の計測値履歴３６が表示される。計測値履歴３６は、所定の単位期間３３２における計測値の統計値を棒の長さによって示す棒グラフとして表示される。これにより、ユーザーＲは、運動データの経時変化を容易に把握することができる。
【００６９】
また、計測値履歴３６を表す棒グラフは、所定の目標範囲３３３に相当する部分が識別表示される。目標範囲３３３の表示範囲は、棒グラフの縦軸の中央部分に固定となっており、この目標範囲３３３の数値範囲に応じて、縦軸の目盛り（スケール）が決められる。
これにより、ユーザーは、目標とする運動が実現されているかの経過状況を容易に比較・参照して、把握することができる。
【００７０】
［変形例］
携帯型電子機器１を、手首に装着する腕時計タイプの形態として説明したが、他の形態でもよいことは勿論である。例えば、携帯型電子機器１をスマートフォンとし、当該スマートフォンに、本実施形態の構成を内蔵する構成としてもよい。その場合、ベルト等によってユーザーＲの上腕に装着することとしてもよい。また、スマートメガネとして構成することとしてもよい。
【符号の説明】
【００７１】
１  携帯型電子機器、１０  メインフレーム、１２  ディスプレイ、１４  操作スイッチ、１６  バンド、１８  制御基板、２０  充電式バッテリ、１１０  ＧＰＳ受信部、１１２  操作入力部、１１４  表示部、１１６  音出力部、１１８  無線通信部、１２０  加速度センサー、２００  処理部、２１０  運動データ計測部、２１２  走行距離算出部、２１４  走行ペース算出部、２１６  ピッチ算出部、２１８  ストライド算出部、２２０  ＨＲ取得部、２３０  現在計測値表示制御部、２４０  計測値履歴表示制御部、２４２  単位期間設定部、２４４  目標範囲設定部、２４６  スケール設定部、２４８  統計演算部、３００  記憶部、３１０  システムプログラム、３１２  計測値履歴表示制御プログラム、３２０  計測データ、３３０  計測値履歴表示設定データ、３  ＨＲセンサー、５  ＧＰＳ衛星
【図１】
2015047208.tif 000003
【図２】
2015047208.tif 000004
【図３】
2015047208.tif 000005
【図４】
2015047208.tif 000006
【図５】
2015047208.tif 000007
【図６】
2015047208.tif 000008